(57)【要約】【課題】過去の実際の取引推移をパソコン画面に再現することによって臨場感を損なうことなく売買のタイミングと取引操作を演習することによって株取引に関する知識が乏しく、さらにパソコンによる株取引操作に不安感を持つオンライン株取引新規参入希望者の心理的バリアーを軽減する方法を提供する。【解決手段】指値売買が、再現された過去の実際の取引条件に適合した時に仮想売買が行われる方法と成行き売買が、再現された過去の売買成立時に連動して仮想売買が行われる方法により演習時間内に成立した売買注文が再現された過去の実際の株式時価による損得結果であることを特徴とするオンライン株取引決断・操作演習方法によって株取引参入希望者の心理的バリアーを軽減する。【選択図】図１
2007149043.tif 000002
【特許請求の範囲】
【請求項１】
オンライントレード証券会社の過去の実際の取引発生時間と取引株価および取引株数等を経時的に近似的、連続的にコンピュータ画面上に再現表示し、あたかも実際の取引時間内に売買決断と操作を行っているかのごとく演習できることを特徴とするオンライン株取引新規希望者の心理的バリアー軽減の方法
【請求項２】
オンライントレード証券会社の売買フォーマットを用いて仮想売買を行うことを特徴とする請求項１のオンライン株取引新規希望者の心理的バリアー軽減の方法
【請求項３】
仮想売買した株式の評価が売買毎に集計され、その結果が別ウィンドウで表示される方法が組み込まれたことを特徴とする請求項１および請求項２のオンライン株取引新規希望者の心理的バリアー軽減の方法
【請求項４】
売買タイミングと売買決断の指導および株取引知識および情報などの解説・指導が画面表示あるいは音声表示される方法が組み込まれたことを特徴とする請求項１、請求項２および請求項３のオンライン株取引新規希望者の心理的バリアー軽減の方法
【発明の詳細な説明】
【技術分野】
【０００１】本発明は、オンライン株取引新規参入希望者の心理的バリアー軽減の方法に関する。
【背景技術】
【０００２】本発明の発明者らは、オンライン株取引に興味を抱きながらも取引参入に躊躇する人々が多いことを発見した。その躊躇の原因について聞き取り調査を行った結果、三つの主要な原因が存在することが判明した。一つは、株取引に関する多くの知識を学ばなければならない心理的な負担である。もう一つは、パソコンを日常的に使用しない人のオンライン売買取引操作に関する不安感である。さらに株取引には売買タイミングの決断力も要求され、それらの負担や不安感が心理的バリアーとなっていることが分った。発明者らは、オンライン株取引のためのさまざまな演習プログラムが存在することを承知しており、それにも関わらずなぜ依然として多くの人の心理的バリアーを軽減するための決定的な方法になっていないのかを調べた。その結果、既存のプログラムは、株取引に関する知識が乏しい上にパソコンによる株取引操作に不安感を持つ者（以後初心者と称する）にとって適切なプログラムでないことを発見した。本発明は、それらの既存プログラムの欠点を補い、初心者の心理的バリアーを軽減することを目的とするものである。【０００３】従来の演習用プログラムは以下の３つに分類される。
１．バーチャルシミュレーションプログラム（以後バーチャルと称する）
２．オンライントレード証券会社が提供するお試しプログラム（以後お試しと称する）
３．リアルタイム取引データをコピーする分析プログラム（以後リアルタイム分析と称する）【０００４】バーチャルの代表的なものに、野村のバーチャル株式投資クラブがある。バーチャルには実際の取引と異なるところが多々ある。
例えば、売買価格：実際の取引では注文した時刻以降で、注文が成立した際の時価が適用されるのに対し、注文した時刻にかかわらず当日の終値が適用される。注文方法：実際の取引では、銘柄名、数量（株数）、指値または成行き、発注年月日、注文の有効期間を指定するのに対し、購入時に指定するのは、銘柄名と金額のみであり、売却時に指定するのは、銘柄名と株数のみである。
この例以外にもバーチャルは実際の取引の条件と異なるところが多く、さらに実際の取引臨場感がまったくないために心理的バリアーとなっている売買決断とそれに付随するパソコン操作を演習する目的には適切でない。【０００５】お試しには、住所、氏名、Ｅメールアドレスなどの記入を要求される。初心者にとっては実際に参入するかどうか、どのオンライン証券会社を選択するかを決定する以前に個人情報を登録することを躊躇する。このことも心理的バリアーを高める要素である。また、お試しは演習目的というよりも、実体験することを主目的としており、パソコン操作に習熟している者を前提としているために、本発明の目的にはそぐわない。【０００６】リアルタイム分析の代表的なものには、カナルＦＣＲ（東研ソフト社製）がある。同社のソフト解説は、「オンライン証券の多くは、リアルタイムのデータでチャートを刻々と描き換えていく専用のチャートソフトを準備している。ごく最近まで、オンライン証券のリアルタイムデータはパソコンの画面を流れ過ぎていくだけで、保存し、それを再現することができなかった。ところが最近になって、リアルタイムデータをオンライン証券の専用チャートソフトで使うほかに外部に取り出せるような機能をもつ専用ソフトがでてきた。リアルタイムのデータが「外部に出せる」というのは、専用ソフト以外のアプリケーションでこれを利用することができるということになった。「外部に出す」方法は、専用ソフト（ＣＳＫ社製）でリアルタイムデータをパソコンのメモリにデータを転記する機能によってコピーするか他の専用ソフト（マーケットスピード）でリアルタイムのチャートを描くほかに、エクセルに株価・出来高などを表示させる機能を持っており、エクセルに表示されたデータはこれまた誰にでも取り出すことができる。」と述べている。
カナルＦＣＲは、これらの専用ソフトを用いた方法からリアルタイムのデータを入手し、グラフを描かせることができ、場が引けた後や休日にでもグラフを描かせ、どのような条件表がよいのかの検討をしたり、リアルタイムにマッチした条件表を生成させたり、最条件表の最適パラメータを見つけさせたり、売買を検証することができるものである。本ソフトは、いわゆる株取引習熟者を対象とした分析目的であり、またパソコンの使用や操作に相応の技量が要求されることが分る。過去の実取引の近似再現にすぐれた技術であるが、本発明が対象とする初心者の演習目的には利用が難しいものである。【０００７】発明者らは、これらの既存のプラグラムのいずれも初心者の心理的バリアーを早期に軽減し得る適切なツールにならないことを見出した。
【非特許文献１】野村のバーチャル株式投資クラブ  ＵＲＬ：ｈｔｔｐ：／／ｗｗｗ２．ｎｏｍｕｒａ．ｃｏ．ｊｐ／ｖｓｔｏｃｋ／ｊｓｐ／ｆｒａｍｅ．ｊｓｐ？ｆｔｙｐｅ＝ａｂｏｕｔ
【非特許文献２】東研ソフトカナルＦＣＲ  ＵＲＬ：ｈｔｔｐ：／／ｗｗｗ．ｔｏｋｅｎｓｏｆｔ．ｃｏ．ｊｐ／ｐｒｄｉｒ／ｐｒｆｃｒ／ｐｒｆｃ００．ｈｔｍ
【発明の開示】
【発明が解決しようとする課題】
【０００８】本発明は、それら既存プログラムの欠点を補い、仮想売買する銘柄の過去の実際の取引時間を再現し、時間経緯に伴う株価および取引売買量を近似的に再現することによって、現実取引の臨場感を損なうことなく売買のタイミングと売買操作を演習することを可能にする。さらに、本発明の実施者は、既に過去に発生した市場動向の結果に基づいて演習者の売買結果に対する分析指導を行なうこともできるので、演習者は近過去の現実に即した適切な市場データなどの読み方についても適切な指導を受けることができる。
そこで、本発明は、実際の取引時間以後であれば、どんな時間に行われても臨場感を損なうことなく売買のタイミングと取引操作を演習することを可能にする方法を提供することを課題とする。
【課題を解決するための手段】
【０００９】以上の課題を解決するために、第一発明は、指値売買が再現された過去の実際の取引条件に適合した時に仮想売買が行われる方法を導入することを設けることを特徴とする株式売買決断・操作演習方法である。第二発明は、成行き売買が、再現された過去の売買成立時に連動して仮想売買が行われる方法を導入することを設けることを特徴とする株式売買決断・操作演習方法である。また、第三発明は、演習時間内に成立した売買注文が再現された過去の実際の株式時価による損得結果であることを特徴とする株式売買決断・操作演習方法である。
【発明の効果】
【００１０】第一発明および第二発明によれば、実際の株取引の臨場感を損なうことなく売買のタイミングと取引操作を演習することができる。また、第三発明によれば、初心者の売買金額が相場に影響することは稀であるから、あたかも現実取引による損得勘定のごとく結果が分る。これらの発明によって、過去の再現取引経過時間と株価推移に近似した仮想取引ができるので、売買決断・取引遂行操作の演習はこれまでにない実際的な効果をもたらす。また、本発明は初心者のみならず熟練者の取引タイミング演習や条件分析などを目的とする利用にも応用可能である。
【発明を実施するための最良の形態】
【００１１】この発明の実施形態を、図１に示す。図中の（１）オンライン株式取引再現画面は、カナルＦＣＲなどの市販のソフトウェアを用いることで実現できる。図中の（２）売買指示は現実のオンライン証券会社の注文書に即したフォームにより臨場感はさらに高まる。図中の（３）指値売買注文後、過去の現実の推移株価と合致認定手段、および図中の（４）成行き売買注文後の過去の実際の売買成立時の株価認定手段は、（１）に用いるソフトウェアに売買成立時間を付与して注文後の直近売買時の株価に連動することで実現できる。また、図中の（５）仮想損得計算結果表示手段は、一般的な計算ソフトウェアにより実現できる。【００１２】「実施形態の効果」
この実施形態によれば、オンライン取引再現ソフトウェアの種類を問わずに実現可能な汎用性に富むものである。さらに、（２）、（３）、（４）および（５）の手段には既存技術および将来技術の適切なものを選択できるので改善も容易に実現できる。また、過去の実際の取引時間推移を画面上に表示することができるので臨場感はさらに増す。
【産業上の利用可能性】
【００１３】わが国の個人投資家率も急上昇しており、いずれ欧米の水準に達すると言われている。そのためにはオンライン株取引がより以上に一般化する必要がある。しかし、現実には未だパソコン操作に心理的な恐れを抱く人々も多い。特に中高年齢層はもとより、若年層であっても日常的にパソコン操作に習熟していない人の中には、オンライン株取引には関心を示しているにも関わらず参入に躊躇する人が多いことが分った。このような人たちが株取引に参入すれば株式市場はより活性化する。本発明は実現が容易で、初心者に対する心理的バリアーを軽減する効果が高いばかりでなく、実取引のための演習効果も高いために、オンライン証券会社などが利用することによって株取引人口の増加を生み、証券業界の顧客拡大に画期的な効果をもたらし、わが国産業の活性化に貢献するものである。
【図面の簡単な説明】
【００１４】
【図１】この発明の一つの実施形態を示す手段構成図である。
【図２】この発明の初心者に対する指導の一つの実施形態を示す手段構成図である。
【図１】
2007149043.tif 000003
【図２】
2007149043.tif 000004